(57)【要約】【課題】２種類の異種金属をメッキやクラッド法により互いに一体化させる必要がなく、これにより、製造コストを低減できると共に、マグネシウムが無くなるまで永続的に効果を維持させることができる水処理具の提供。【解決手段】第１金属１がマグネシウムで構成される第２金属２の外周に所定の移動隙間を形成した状態で囲繞する円筒状で該内周面に多数の突起１１が形成され、第１金属１と第２金属２が複数の貫通孔３３を有する非金属性容器３内において互いに相対移動可能な状態に収容されている。【選択図】        図１
2006346550.tif 000002
【特許請求の範囲】
【請求項１】
イオン化傾向又は／及び電位の異なる２種類の異種金属を互いに接触させた状態で処理すべき水中に没する状態とすることにより、前記２種類の異種金属のうちイオン化傾向の小さい及び／又は電極電位の高い方の第１金属の腐蝕を防止しようとして電極電位の低い方の第２金属から高い方の第１金属へ電子を移動させるイオン化傾向の大きい及び／又は電極電位の低い方の第２金属の局部電池形成による酸化還元反応の腐蝕作用により該イオン化傾向の大きい及び／又は電極電位の低い方の第２金属から金属イオンを永続的に溶出させて水に所定の機能を付加する水処理具であって、
前記第２金属がマグネシウムで構成され、
前記第１金属がマグネシウムで構成される前記第２金属の外周に所定の移動隙間を形成した状態で囲繞する筒状で該内周面に多数の突起が形成され、
前記第１金属と第２金属が複数の貫通孔を有する非金属性容器内において互いに相対移動可能な状態に収容されていることを特徴とする水処理具。
【請求項２】
前記第２金属が棒状のマグネシウムで構成され、
該棒状のマグネシウムで構成される第２金属の両端部が前記非金属製容器に固定され、前記筒状で該内周面に多数の突起が形成された第１金属のみが前記非金属性容器内で移動することにより前記第１金属と第２金属が複数の貫通孔を有する非金属性容器内において互いに相対移動可能な状態に収容されていることを特徴とする請求項１に記載の水処理具。
【請求項３】
前記筒状で該内周面に多数の突起が形成された第１金属が前記非金属製容器に固定され、前記マグネシウムで構成される第２金属のみが前記非金属性容器内で移動することにより前記第１金属と第２金属が複数の貫通孔を有する非金属性容器内において互いに相対移動可能な状態に収容されていることを特徴とする請求項１に記載の水処理具。
【請求項４】
イオン化傾向又は／及び電位の異なる２種類の異種金属を互いに接触させた状態で処理すべき水中に没する状態とすることにより、前記２種類の異種金属のうちイオン化傾向の小さい及び／又は電極電位の高い方の第１金属の腐蝕を防止しようとして電極電位の低い方の第２金属から高い方の第１金属へ電子を移動させるイオン化傾向の大きい及び／又は電極電位の低い方の第２金属の局部電池形成による酸化還元反応の腐蝕作用により該イオン化傾向の大きい及び／又は電極電位の低い方の第２金属から金属イオンを永続的に溶出させて水に所定の機能を付加する水処理具であって、
前記第２金属がマグネシウムで構成され、
前記第１金属が内周面に多数の突起が形成されると共に複数の貫通孔を有する容器体に形成され、
該容器体の第１金属内に前記マグネシウムで構成される第２金属が移動可能な状態に収容されていることを特徴とする水処理具。
【請求項５】
前記第２金属が棒状のマグネシウムで構成され、
前記第１金属が棒状のマグネシウムで構成される前記第２金属の外周に所定の移動隙間を形成した状態でその外周全体を囲繞する筒状の容器体で該内周面に多数の突起が形成されると共に複数の貫通孔を有していることを特徴とする請求項４に記載の水処理具。
【請求項６】
前記第２金属が交換可能な状態に設けられていることを特徴とする請求項１〜５のいずれか１項に記載の水処理具。
【請求項７】
前記第１金属内に前記第２金属と共に該第２金属よりは重い材質の移動体を収容してなることを特徴とする請求項１、３、４、６のいずれか１項に記載の水処理具。
【請求項８】
前記移動体が遠赤外線放出体で構成されていることを特徴とする請求項７項に記載の水処理具。
【請求項９】
前記移動体がマイナスイオン放出体で構成されていることを特徴とする請求項７項に記載の水処理具。
【請求項１０】
前記移動体がゼオライト鉱石で構成されていることを特徴とする請求項７項に記載の水処理具。
【請求項１１】
前記移動体が活性炭等の炭素体で構成されていることを特徴とする請求項７項に記載の水処理具。
【請求項１２】
前記移動体が黒曜石で構成されていることを特徴とする請求項７項に記載の水処理具。
【発明の詳細な説明】
【技術分野】
【０００１】
本発明は、花瓶や花器、水槽、洗濯機、池、湖、プール、噴水、冷却塔、クーリングタワー、風呂、トイレのロータンク、加湿器、循環水管路、取水口部分等に収容される全ての水の他に、例えば、医科や医療器具等の殺菌洗浄処理に用いられる洗浄水の製造や、金属イオンを添加した木酢液、竹酢液の製造等に適用される水処理具に関する。
【背景技術】
【０００２】
従来のこの種の水処理具として、本件出願人が先に出願した特許願がある（例えば、特許文献１参照）。
即ち、この特許願は、イオン化傾向又は／及び電位の異なる２種類の異種金属を互いに密着させると共に該２種類の異種金属の接触境界部分が水と接触する状態で露出形成されている構成とすることにより水中において該接触境界部分で局部電池が形成されてイオン化傾向の大きい又は／及び電位の低い方の第２金属２が酸化する際に水中に金属イオンを溶出させて水に所定の機能を付加する水処理具であって、２種類の異種金属をメッキやクラッド法により互いに密着させた構造としたものであった。
【０００３】
【特許文献１】特願２００４−２２５４９号公報
【発明の開示】
【発明が解決しようとする課題】
【０００４】
しかしながら、先に出願の水処理具では、２種類の異種金属をメッキやクラッド法により互いに一体化させた構造であったため、異種金属を互いに密着させた状態に組み付ける作業に設備費や手間を要するため製造コストが高く付くという問題があった。
【０００５】
本発明は、かかる従来の問題点を解決するためになされたものであって、その目的とするところは、２種類の異種金属をメッキやクラッド法により互いに一体化させる必要がなく、これにより、製造コストを低減できると共に、マグネシウムが無くなるまで永続的に効果を維持させることができる水処理具を提供することにある。
【課題を解決するための手段】
【０００６】
前記目的を達成するための手段として、請求項１記載の水処理具は、イオン化傾向又は／及び電位の異なる２種類の異種金属を互いに接触させた状態で処理すべき水中に没する状態とすることにより、前記２種類の異種金属のうちイオン化傾向の小さい及び／又は電極電位の高い方の第１金属の腐蝕を防止しようとして電極電位の低い方の第２金属から高い方の第１金属へ電子を移動させるイオン化傾向の大きい及び／又は電極電位の低い方の第２金属の局部電池形成による酸化還元反応の腐蝕作用により該イオン化傾向の大きい及び／又は電極電位の低い方の第２金属から金属イオンを永続的に溶出させて水に所定の機能を付加する水処理具であって、前記第２金属がマグネシウムで構成され、前記第１金属がマグネシウムで構成される前記第２金属の外周に所定の移動隙間を形成した状態で囲繞する筒状で該内周面に多数の突起が形成され、前記第１金属と第２金属が複数の貫通孔を有する非金属性容器内において互いに相対移動可能な状態に収容されていることを特徴とする手段とした。
【０００７】
請求項２記載の水処理具は、請求項１に記載の水処理具において、前記第２金属が棒状のマグネシウムで構成され、該棒状のマグネシウムで構成される第２金属の両端部が前記非金属製容器に固定され、前記筒状で該内周面に多数の突起が形成された第１金属のみが前記非金属性容器内で移動することにより前記第１金属と第２金属が複数の貫通孔を有する非金属性容器内において互いに相対移動可能な状態に収容されていることを特徴とする手段とした。
【０００８】
請求項３記載の水処理具は、請求項１に記載の水処理具において、前記筒状で該内周面に多数の突起が形成された第１金属が前記非金属製容器に固定され、前記マグネシウムで構成される第２金属のみが前記非金属性容器内で移動することにより前記第１金属と第２金属が複数の貫通孔を有する非金属性容器内において互いに相対移動可能な状態に収容されていることを特徴とする手段とした。
【０００９】
請求項４記載の水処理具は、イオン化傾向又は／及び電位の異なる２種類の異種金属を互いに接触させた状態で処理すべき水中に没する状態とすることにより、前記２種類の異種金属のうちイオン化傾向の小さい及び／又は電極電位の高い方の第１金属の腐蝕を防止しようとして電極電位の低い方の第２金属から高い方の第１金属へ電子を移動させるイオン化傾向の大きい及び／又は電極電位の低い方の第２金属の局部電池形成による酸化還元反応の腐蝕作用により該イオン化傾向の大きい及び／又は電極電位の低い方の第２金属から金属イオンを永続的に溶出させて水に所定の機能を付加する水処理具であって、前記第２金属がマグネシウムで構成され、前記第１金属が内周面に多数の突起が形成されると共に複数の貫通孔を有する容器体に形成され、該容器体の第１金属内に前記マグネシウムで構成される第２金属が移動可能な状態に収容されていることを特徴とする手段とした。
【００１０】
請求項５記載の水処理具は、請求項４に記載の水処理具において、前記第２金属が棒状のマグネシウムで構成され、前記第１金属が棒状のマグネシウムで構成される前記第２金属の外周に所定の移動隙間を形成した状態でその外周全体を囲繞する筒状の容器体で該内周面に多数の突起が形成されると共に複数の貫通孔を有していることを特徴とする手段とした。
【００１１】
請求項６記載の水処理具は、請求項１〜５のいずれか１項に記載の水処理具において、前記第２金属が交換可能な状態に設けられていることを特徴とする手段とした。
【００１２】
請求項７記載の水処理具は、請求項１、３、４、６のいずれか１項に記載の水処理具において、前記第１金属内に前記第２金属と共に該第２金属よりは重い材質の移動体を収容してなることを特徴とする手段とした。
【００１３】
請求項８記載の水処理具は、請求項７項に記載の水処理具において、前記移動体が遠赤外線放出体で構成されていることを特徴とする手段とした。
【００１４】
請求項９記載の水処理具は、請求項７項に記載の水処理具において、前記移動体がマイナスイオン放出体で構成されていることを特徴とする手段とした。
【００１５】
請求項１０記載の水処理具は、請求項７項に記載の水処理具において、前記移動体がゼオライト鉱石で構成されていることを特徴とする手段とした。
【００１６】
請求項１１記載の水処理具は、請求項７項に記載の水処理具において、前記移動体が活性炭等の炭素体で構成されていることを特徴とする手段とした。
【００１７】
請求項１２記載の水処理具は、請求項７項に記載の水処理具において、前記移動体が黒曜石で構成されていることを特徴とする手段とした。
【発明の効果】
【００１８】
本発明請求項１記載の水処理具では、上述のように、前記第２金属が棒状のマグネシウムで構成され、第１金属が棒状のマグネシウムで構成される第２金属の外周に所定の移動隙間を形成した状態で囲繞する筒状で該内周面に多数の突起が形成され、第１金属と第２金属が複数の貫通孔を有する非金属性容器内において互いに相対移動可能な状態に収容されている構成としたことで、以下に述べるような効果が得られる。
即ち、マグネシウム単独でも処理すべき水中に単に没した状態としておくと、水中で酸化腐触してマグネシウムイオンを溶出するが、マグネシウム単独の場合はその表面全体に酸化皮膜が形成されるため、マグネシウムイオンの溶出が停止される。ところが、この発明では、第２金属の表面に第１金属の複数の突起が当接することで、２種類の異種金属のうちイオン化傾向の小さい及び／又は電極電位の高い方の第１金属の腐蝕を防止しようとして電極電位の低い方のマグネシウムで構成される第２金属から高い方の第１金属へ電子を移動させるイオン化傾向の大きい及び／又は電極電位の低い方のマグネシウムで構成される第２金属の局部電池形成による酸化還元反応の腐蝕作用により酸化皮膜が形成されることなしに該第２金属を構成するマグネシウムからマグネシウムイオンを永続的に溶出させることができるようになる。
【００１９】
また、この発明においても、大気中では第２金属を構成するマグネシウムの表面に酸化被膜が形成され、また、水中に没した状態においても、第１金属の突起が当接していない部分に酸化被膜が形成されることになるが、この発明の水処理具の使用に際しては、この水処理具を所定回数振ってやると、第１金属と第２金属が互いに接触した状態で相対移動することで、第１金属の複数の突起が第２金属を構成するマグネシウムの表面に無数の傷を付け、これにより、酸化被膜が形成されていない状態に復帰させることができるようになる。
【００２０】
請求項２記載の水処理具では、上述のように、前記第２金属が棒状のマグネシウムで構成され、該棒状のマグネシウムで構成される第２金属の両端部が非金属製容器に固定され、筒状で該内周面に多数の突起が形成された第１金属のみが非金属性容器内で移動することにより第１金属と第２金属が複数の貫通孔を有する非金属性容器内において互いに相対移動可能な状態に収容されている構成としたことで、この水処理具を振る場合に、金属の中でも比較的重量の軽いマグネシウム側を固定することで、それよりは重量の重い第１金属側を効率的に移動させることができるようになる。
【００２１】
請求項３記載の水処理具では、上述のように、前記筒状で該内周面に多数の突起が形成された第１金属が非金属製容器に固定され、マグネシウムで構成される第２金属のみが非金属性容器内で移動することにより第１金属と第２金属が複数の貫通孔を有する非金属性容器内において互いに相対移動可能な状態に収容されている構成としたことで、第２金属を粒状や塊状の複数のマグネシウムとした場合に、すべてのマグネシウムの表面に無数の傷を効率的に付けることができるようになる。
【００２２】
請求項４記載の水処理具では、上述のように、第２金属がマグネシウムで構成され、第１金属が内周面に多数の突起が形成されると共に複数の貫通孔を有する容器体に形成され、該容器体の第１金属内にマグネシウムで構成される第２金属が移動可能な状態に収容されている構成としたことで、請求項１に記載の発明に比べ、非金属性容器を省略できるため、コストの低減化とコンパクト化が可能になる。
また、第２金属を粒状や塊状の複数のマグネシウムとした場合に、すべてのマグネシウムの表面に無数の傷を効率的に付けることができるようになる。
【００２３】
請求項５記載の水処理具では、上述のように、前記第２金属が棒状のマグネシウムで構成され、第１金属が棒状のマグネシウムで構成される第２金属の外周に所定の移動隙間を形成した状態でその外周全体を囲繞する筒状の容器体で該内周面に多数の突起が形成されると共に複数の貫通孔を有している構成としたことで、請求項１に記載の発明に比べ、非金属性容器を省略できるため、コストの低減化とコンパクト化が可能になる。
【００２４】
請求項６記載の水処理具では、上述のように、前記第２金属が交換可能な状態に設けられている構成としたことで、マグネシウムイオンの溶出により減少する方の第２金属のみを交換することにより、その他の部材の再利用が可能であるため、ランニングコストを低減化することができるようになる。
【００２５】
請求項７記載の水処理具では、上述のように、前記第１金属内に前記第２金属と共に該第２金属よりは重い材質の移動体を収容することにより、この水処理具を振る際に軽量のマグネシウムで構成される第２金属を移動体の動きで大きく動かすことができるようになると共に、この移動体と擦れ合うことでマグネシウムの表面に無数の傷をさらに効率的に付けることができるようになる。
【００２６】
請求項８記載の水処理具では、上述のように、前記移動体が遠赤外線放出体で構成されることにより、水に遠赤外線効果を付与することができるようになるという追加の効果が得られる。
【００２７】
請求項９記載の水処理具では、上述のように、前記移動体がマイナスイオン放出体で構成されることにより、水にマイナスイオン効果を付与することができるようになるという追加の効果が得られる。
【００２８】
請求項１０記載の水処理具では、上述のように、前記移動体がゼオライト鉱石で構成されることにより、水に含まれる不純物の吸着作用による追加の効果が得られる。
【００２９】
請求項１１記載の水処理具では、上述のように、前記移動体が活性炭等の炭素体で構成されることにより、不純物の吸着作用により水に含まれる不純物を除去するという追加の効果が得られると共に、炭素はマグネシウムよりイオン化傾向の小さい及び／又は電極電位の高い金属であるため、この炭素体とマグネシウムとが第１金属内で接触することにより、第２金属を構成するマグネシウムからマグネシウムイオンを効率的に溶出させることができるようになるという追加の効果が得られる。
【００３０】
請求項１２記載の水処理具では、上述のように、前記移動体が黒曜石で構成されることにより、水に鉄イオンを溶出させることができるようになるという追加の効果が得られる。
【発明を実施するための最良の形態】
【００３１】
以下、本発明の実施例を詳細に説明する。
（実施例１）
まず、この実施例１の水処理具の構成を図面に基づいて説明する。
図１はこの実施例１の水処理具を示す縦断面図、図２は図１のＡ−Ａ線における横断平面図である。
【００３２】
即ち、この実施例１の水処理具は、イオン化傾向又は／及び電位の異なる２種類の異種金属を互いに接触させた状態で処理すべき水中に没する状態とすることにより、前記２種類の異種金属のうちイオン化傾向の小さい及び／又は電極電位の高い方の第１金属の腐蝕を防止しようとして電極電位の低い方の第２金属から高い方の第１金属へ電子を移動させるイオン化傾向の大きい及び／又は電極電位の低い方の第２金属の局部電池形成による酸化還元反応の腐蝕作用により該イオン化傾向の大きい及び／又は電極電位の低い方の第２金属から金属イオンを永続的に溶出させて水に所定の機能を付加する水処理具であって、第１金属１と、第２金属２と、非金属製容器３と、で構成されている。
【００３３】
さらに詳述すると、前記非金属製容器３は、食品衛生上問題のない合成樹脂等の非金属材料で構成されるもので、有底円筒状の容器本体３１の開口部がねじ式の蓋体３２で開閉自在に閉塞されると共に、その周壁には多数の貫通孔３３が形成されている。
前記第２金属２は、棒状のマグネシウム（Ｍｇ）で構成されていて、その両端が容器本体３１の底部３４と蓋体３２の中央部にそれぞれ形成された凹部３４ａ、３２ａに装着された状態で固定されている。
【００３４】
前記第１金属は、第２金属２の外周に所定の移動隙間を形成した状態で囲繞する円筒状で該内周面に多数の小さな突起１１が形成されていて、非金属製容器３内において移動可能な状態に収容されている。この第１金属１としては、第２金属２を構成するマグネシウム（Ｍｇ）よりイオン化傾向の小さい及び／又は電極電位の高い金属であればよく、銅（Ｃｕ）、鉄（Ｆｅ）等を用いることができる。
【００３５】
次に、この実施例１の作用・効果を説明する。
この実施例１の水処理具は、以上のように構成されるため、この水処理具を、処理すべき水中に単に没した状態としておくと、マグネシウム単独でも水中で酸化腐触してマグネシウムイオンを溶出するが、マグネシウム単独の場合は酸化皮膜が形成されるため、金属イオンの溶出が停止される。ところが、この実施例１では、第２金属２の表面に第１金属１の多数の突起１１が当接することで、２種類の異種金属のうちイオン化傾向の小さい及び／又は電極電位の高い方の第１金属の腐蝕を防止しようとして電極電位の低い方のマグネシウムで構成される第２金属２から高い方の第１金属１へ電子を移動させるイオン化傾向の大きい及び／又は電極電位の低い方のマグネシウムで構成される第２金属２の局部電池形成による酸化還元反応の腐蝕作用により酸化皮膜が形成されることなしに該第２金属２を構成するマグネシウムからマグネシウムイオンを永続的に溶出させることができるようになる。
【００３６】
また、この実施例１においても、大気中では第２金属２を構成するマグネシウムの表面に酸化被膜が形成され、また、水中に没した状態においても、第１金属１の突起１１が当接していない部分に酸化被膜が形成されることになるが、この実施例１の水処理具の使用に際しては、この水処理具を所定回数振ってやると、非金属製容器３内で第１金属１のみが移動し、この第１金属１の突起１１と第２金属２が互いに接触した状態で相対移動することで、第１金属１の多数の突起１１が第２金属２を構成するマグネシウムの表面に無数の傷を付け、これにより、酸化被膜が形成されていない状態に復帰させることができるようになる。
【００３７】
従って、２種類の異種金属をメッキやクラッド法により互いに一体化させる必要がないため、製造コストを低減できると共に、第２金属２を構成するマグネシウムが無くなるまで永続的に効果を維持させることができるようになるという効果が得られる。
【００３８】
また、この水処理具を振る場合に、金属の中でも比較的重量の軽いマグネシウムで構成される第２金属２側を固定することで、それよりは重量の重い第１金属１側を効率的に移動させることができるようになる。
【００３９】
また、前記第２金属２が交換可能な状態に設けられている構成としたことで、マグネシウムイオンの溶出により減少する方の第２金属２のみを交換することにより、その他の部材の再利用が可能であるため、ランニングコストを低減化することができるようになる。
【００４０】
そして、例えば、この実施例１の水処理具を種々の目的に使用される水道水に適用することにより、マグネシウムイオンが水道水に含まれる遊離塩素と結合して塩化マグネシウム（にがりの成分）に変化させることができるため、塩素による弊害をなくすことができるようになる。
【００４１】
また、この実施例１の水処理具を花瓶や花器等に収容された水に適用することにより、水とマグネシウムイオンの反応で水酸化マグネシウム（ＭｇＯＨ２）と水素（Ｈ２）が生成されると共に、アルカリ還元水になる。
さらに、豊富に水素（Ｈ２）を含むミネラル豊富なマグネシウムイオン水になる。また、このアルカリ還元水は、水の腐敗や悪臭の発生を抑制すると共に、切花等がマグネシウムイオン水を吸い上げることにより、花や葉を鮮やかにする効果が得られ、より美しく延命させることができるようになる。
【００４２】
また、水道水、井戸水、天然水等のあらゆる水に適用することにより、酸化還元電位の低い水（アルカリ還元イオン水）を容易かつ低コストにて作ることができるようになる。
【００４３】
また、マグネシウム（Ｍｇ）から無数の微細な水素の気泡が発生するため、水中に含まれるゴミや不純物をこの無数の微細な気泡と共に水面に上昇させ、これを容易に除去することができるようになる。
【００４４】
次に、この発明の他の実施例について説明する。なお、この他の実施例の説明にあたっては、前記実施例１と同様の構成部分については同一の符号を付けてその説明を省略し、相違点についてのみ説明する。
【００４５】
（実施例２）
この実施例２の水処理具は、前記第１金属１が非金属製容器３に対し固定され、この非金属製容器３内に第２金属を構成する粒状または塊状のマグネシウムを移動可能な状態に収容した点が前記実施例１とは相違したものである。
【００４６】
即ち、この実施例２の水処理具は、図３（縦断面図）、及び図４（図３のＢ−Ｂ線における横断平面図）に示すように、前記第１金属１が円筒状の容器体で該内周面に多数の突起１１が形成されると共に複数の貫通孔１２を有する形状で、この両端が容器本体３１の底部３４と蓋体３２の中央部にそれぞれ形成された環状凹部３４ｂ、３２ｂに装着された状態で固定されている。
そして、前記第２金属２が複数個の粒状または塊状のマグネシウムで構成されていて、第１金属１内に移動可能な状態で収容されている。
【００４７】
次に、この実施例２の作用・効果を説明する。
この実施例２の水処理具は、以上のように構成されるため、この水処理具を、処理すべき水中に単に没した状態としておくと、第２金属２の表面に第１金属１の多数の突起１１が当接することで、２種類の異種金属のうちイオン化傾向の小さい及び／又は電極電位の高い方の第１金属の腐蝕を防止しようとして電極電位の低い方のマグネシウムで構成される第２金属２から高い方の第１金属１へ電子を移動させるイオン化傾向の大きい及び／又は電極電位の低い方のマグネシウムで構成される第２金属２の局部電池形成による酸化還元反応の腐蝕作用により酸化皮膜が形成されることなしに該第２金属２を構成するマグネシウムからマグネシウムイオンを永続的に溶出させることができるようになる。
【００４８】
また、この実施例２においても、大気中では第２金属２を構成するマグネシウムの表面に酸化被膜が形成され、また、水中に没した状態においても、第１金属１の突起１１が当接していない部分に酸化被膜が形成されることになるが、この実施例２の水処理具の使用に際しては、この水処理具を所定回数振ってやると、非金属製容器３内で複数の粒状または塊状マグネシウムで構成される第２金属２のみが移動し、第１金属１の突起１１と各第２金属２が互いに接触した状態で相対移動することで、第１金属１の多数の突起１１が第２金属２を構成するマグネシウムの表面に無数の傷を付け、これにより、酸化被膜が形成されていない状態に復帰させることができるようになる。
【００４９】
従って、２種類の異種金属をメッキやクラッド法により互いに一体化させる必要がないため、製造コストを低減できると共に、第２金属２を構成する粒状のマグネシウムが無くなるまで永続的に効果を維持させることができるようになるという効果が得られる。
【００５０】
また、前記第２金属２が交換可能な状態に設けられている構成としたことで、マグネシウムイオンの溶出により減少する方の第２金属２を構成する粒状のマグネシウムのみを交換することにより、その他の部材の再利用が可能であるため、ランニングコストを低減化することができるようになる。
【００５１】
（実施例３）
この実施例３の水処理具は、非金属製容器３を省略した点が前記実施例２とは相違したものである。
【００５２】
即ち、この実施例３の水処理具は、図５（縦断面図）、及び図６（図５のＣ−Ｃ線における横断平面図）図４の縦断面図に示すように、前記第１金属１が有底円筒状の容器本体１３の開口部がねじ式の蓋体１４で開閉自在に閉塞されると共に、その周壁には多数の貫通孔１５が形成されている構成とされ、この第１金属１内に複数個の粒状または塊状マグネシウムで構成される第２金属２が移動可能な状態で収容されている。
従って、この実施例３の水処理具では、前記実施例２と同様の効果が得られる他に、非金属性容器３を省略できるため、コストの低減化とコンパクト化が可能になるという追加の効果が得られる。
【００５３】
（実施例４）
この実施例４の水処理具は、図７（縦断面図）、及び図８（図７のＤ−Ｄ線における横断平面図）図４の縦断面図に示すように、前記第２金属２が太い棒状のマグネシウムで構成されている点が前記実施例３とは相違したものである。
従って、この実施例４の水処理具では、前記実施例３とほぼ同様の効果が得られる。
【００５４】
以上本発明の実施例を説明してきたが、本発明は上述の実施例に限られるものではなく、発明の要旨を逸脱しない範囲の設計変更等があっても本発明に含まれる。
例えば、実施例では、イオン化傾向の小さい又は／及び電位の高い方の金属として、銅（Ｃｕ）、鉄（Ｆｅ）を用いた例を示したが、その他の金属を用いることができ、また、それらの合金を用いることもできる。
【００５５】
また、第１金属１内に第２金属２と共に該第２金属２よりは重い材質の移動体を収容することにより、この水処理具を振る際に軽量のマグネシウムで構成される第２金属２を移動体の動きで大きく動かすことができるようになると共に、この移動体と擦れ合うことでマグネシウムの表面に無数の傷をさらに効率的に付けることができるようになる。
【００５６】
また、移動体を遠赤外線放出体で構成させることにより、水に遠赤外線効果を付与することができるようになるという追加の効果が得られる。
【００５７】
また、移動体をマイナスイオン放出体で構成させることにより、水にマイナスイオン効果を付与することができるようになるという追加の効果が得られる。
【００５８】
また、移動体をゼオライト鉱石で構成させることにより、水に含まれる不純物の吸着作用による追加の効果が得られる。
【００５９】
また、移動体を活性炭等の炭素体で構成させることにより、不純物の吸着作用により水に含まれる不純物を除去するという追加の効果が得られると共に、炭素はマグネシウムよりイオン化傾向の小さい及び／又は電極電位の高い金属であるため、この炭素体とマグネシウムとが第１金属内で接触することにより、第２金属を構成するマグネシウムからマグネシウムイオンを効率的に溶出させることができるようになるという追加の効果が得られる。
【００６０】
また、移動体を黒曜石で構成させることにより、水に鉄イオンを溶出させることができるようになるという追加の効果が得られる。
【図面の簡単な説明】
【００６１】
【図１】本発明実施例１の水処理具を示す縦断面図である。
【図２】図１のＡ−Ａ線における横断平面図である。
【図３】本発明実施例２の水処理具を示す縦断面図である。
【図４】図３のＢ−Ｂ線における横断平面図である。
【図５】本発明実施例３の水処理具を示す縦断面図である。
【図６】図５のＣ−Ｃ線における横断平面図である。
【図７】本発明実施例４の水処理具を示す縦断面図である。
【図８】図７のＤ−Ｄ線における横断平面図である。
【００６２】
１  第１金属
１１  突起
１２  貫通孔
１３  容器本体
１４  蓋体
２  第２金属
３  非金属製容器
３１  容器本体
３２  蓋体
３２ａ  凹部
３２ｂ  環状凹部
３３  貫通孔
３４  底部
３４ａ  凹部
３４ｂ  環状凹部
【図１】
2006346550.tif 000003
【図２】
2006346550.tif 000004
【図３】
2006346550.tif 000005
【図４】
2006346550.tif 000006
【図５】
2006346550.tif 000007
【図６】
2006346550.tif 000008
【図７】
2006346550.tif 000009
【図８】
2006346550.tif 000010